(57)【要約】【課題】浴室内のカビの繁殖を抑制するミストサウナ装置を提供することを目的とする。【解決手段】換気および暖房換気循環機能を備えた浴室のミストサウナ装置１であって、ミストサウナ装置１内に浴室内の温度を検出する温度検知センサ手段１０と、浴室内の湿度を検出する湿度検知センサ手段１１と、ミストサウナ装置１が設置してある屋根裏の温度を検知する屋根裏空気温度検知手段７と、浴室の内面に気流を発生させる気流発生手段と、運転モードを選定する運転制御指示回路４とを設け、温度検知センサ手段１０と湿度検知センサ手段１１と屋根裏空気温度検出手段７から気流発生手段をもとに前記浴室の水滴の蒸発を検知し、カビの繁殖しない温湿度に設定することで、浴室内を清潔に保ち、浴室内の清掃の頻度を低減するミストサウナ装置を得られる。【選択図】図１
2008245690.tif 000002
【特許請求の範囲】
【請求項１】
換気および暖房換気循環機能を備えた浴室のミストサウナ装置であって、前記ミストサウナ装置内に前記浴室内の温度を検出する温度検知手段と、前記浴室内の湿度を検出する湿度検知手段と、前記ミストサウナ装置が設置してある屋根裏の温度を検知する屋根裏空気温度検知手段と、前記浴室の内面に気流を発生させる気流発生手段と、運転モードを選定する運転制御手段とを設け、前記運転制御手段により前記気流発生手段を制御し、前記気流発生手段により前記浴室の内面に気流を発生させ、前記温度検知手段により検知された前記浴室内の温度と前記湿度検出手段により検知された前記浴室内の湿度と前記屋根裏空気温度検出手段により検知された前記屋根裏の温度とにより浴室内の内面の水滴の有無を前記運転制御手段で判断し、前記運転制御手段により、カビの繁殖しない温湿度に設定することを特徴とするミストサウナ装置。
【請求項２】
運転制御手段の動作の開始を、ミストサウナ装置の運転開始後にすることを特徴とする請求項１記載のミストサウナ装置。
【請求項３】
温度検出手段と湿度検出手段によって、ミストサウナ装置の運転開始前に温湿度を検出することを特徴とする請求項１記載のミストサウナ装置。
【請求項４】
運転制御手段を、入浴する前の温湿度に応じたことを特徴とする請求項１記載のミストサウナ装置。
【請求項５】
運転制御手段として、換気、乾燥、循環、乾燥換気運転のいずれかを２つを含む運転をすることを特徴とする請求項１または２記載のミストサウナ装置。
【請求項６】
温度検知手段として、熱電対を用いたことを特徴とする請求項１または３記載のミストサウナ装置。
【請求項７】
湿度検知手段として、高分子を用いたことを特徴とする請求項１または３記載のミストサウナ装置。
【請求項８】
温度検知手段の温度の検知範囲を、５℃〜６０℃の範囲とすることを特徴する請求項１、３または６記載のミストサウナ装置。
【請求項９】
湿度検知手段の湿度の検出範囲を、４０％ＲＨ〜８０％ＲＨの範囲とすることを特徴とする請求項１、３または７記載のミストサウナ装置。
【請求項１０】
運転制御手段として、浴室内壁面の水滴を除去してから、ミスト運転前の温度が２５℃、湿度が７５％ＲＨ以下の場合に換気のみの運転することを特徴とする請求項１、２、４または５記載のミストサウナ装置。
【請求項１１】
運転制御手段として、浴室内壁面の水滴を除去してから、ミスト運転前の温度が２５℃、湿度が７５％ＲＨ以上の場合に湿度４０％ＲＨ以下に運転をすることを特徴とする請求項１、２、４、５または１０記載のミストサウナ装置。
【請求項１２】
運転制御手段として、浴室内壁面の水滴を除去してから、ミスト運転前の温度が２５℃、湿度が７５％ＲＨ以上の場合に温度３５℃以上にする運転をすることを特徴とする請求項１、２、４、５、１０または１１記載のミストサウナ装置。
【請求項１３】
壁面の水滴を除去してから、ミスト運転前の温度が２５℃、湿度が７５％ＲＨ以上の場合に、温度３５℃以上、湿度４０％ＲＨ以下にする運転をすることを特徴とする請求項１、２、５、１０、１１または１２記載のミストサウナ装置。
【請求項１４】
運転制御手段として、浴室内壁面の水滴を除去してから、ミスト運転前の温度が２５℃、湿度が７５％ＲＨ以上の場合に、温度３５℃以上、湿度４０％ＲＨ以下に２時間以上を持続する運転することを特徴とする請求項１、２、５、１０、１１または１３記載のミストサウナ装置。
【請求項１５】
運転制御手段として、ミストサウナ装置内を、乾燥させる乾燥工程を設けることを特徴とする請求項１記載のミストサウナ装置。
【発明の詳細な説明】
【技術分野】
【０００１】
本発明は、浴室内にミストを発生させるミストサウナ装置に関する。
【背景技術】
【０００２】
従来、この種のミストサウナ装置として、蒸発したミストを浴室内へ供給するミストサウナ装置が知られている（例えば、特許文献１参照）。
【０００３】
以下、そのミストサウナ装置について図８を参照しながら説明する。
【０００４】
図８に示すように、ミストサウナ装置１０１は、給湯暖房機１０２とループ状の循環管路で接続している熱交換器１０３と熱交換器上に流されて加熱され、蒸発してミストとなる温水を供給する給湯配管１０４から構成され、給湯配管１０４には、給湯加熱部に入る前の一に流水スイッチ１０５が設けられ、お湯流量調整弁１０６が設けてある。また、乾燥、暖房運転を制御する手段として浴室内の温度、湿度を検出する温湿度検出手段１０７が設けてある。これにより、温湿度検出手段１０７の出力により、カビを抑制するものである。
【０００５】
また、カビを抑制する為に浴室内を乾燥させても高温と高湿とならない制御を行った浴室空調機が知られている（例えば、特許文献２参照）。
【０００６】
これは、浴室の空調を暖房モード及び換気モードで行う空調手段と暖房モードでの空調が終了した場合、換気モードのみのモードに自動的に切り換わる空調手段を制御する制御手段を備えた浴室空調機である。
【０００７】
また、カビの抑制に関しては、温湿度検出手段１０７を用い、相対湿度を４０％〜６０％の範囲内に収まるようにすること圧縮機を運転することを特徴とする除湿機に関するものもある。（例えば、特許文献３参照）。
【特許文献１】特許第３６９９２８９号公報
【特許文献２】特開２０００−３１４５３７号公報
【特許文献３】特開２００１−２４８８８０号公報
【発明の開示】
【発明が解決しようとする課題】
【０００８】
このような従来のミストサウナ装置や除湿機では、壁面から発生する水滴からの水蒸気の発生を考慮せず、浴室内の湿度でカビを抑制するため、乾燥手段時に壁面からの水蒸気が発生し、処理終了後に浴室内湿度が上昇し、カビも繁殖し、カビの繁殖を抑制することができないという課題があり、壁面の水滴を除去した後にカビの繁殖を抑制することが要求されている。
【０００９】
本発明は、このような従来の課題を解決するものであり、乾燥手段時に壁面からの水蒸気の発生を防止するため、壁面から発生する水蒸気を浴室の温度と湿度と屋根裏の温度で検出し、カビの繁殖を抑制するミストサウナ装置を提供することを目的としている。
【００１０】
また、ミスト発生することで、入浴時よりも天井・壁面の水滴の量が増加し、カビが繁殖しやすい状態になり、ミスト運転によりカビが繁殖しやすい状態に保たれるという課題があり、ミスト運転後すぐにカビを抑制することが要求されている。
【００１１】
本発明は、このような従来の課題を解決するものであり、カビが繁殖しやすい状態抑制するため、ミスト発生後浴室内の温度を利用しカビの菌糸が成長する前にカビを抑制することのできる防カビミストサウナ装置を提供することを目的としている。
【００１２】
また、カビも高湿度で育成したカビは低湿度で生育したカビよりも耐乾性が弱いが、季節に応じて種類も異なるという課題があり、カビを抑制するためには季節に応じたカビを抑制することが要求されている。
【００１３】
本発明は、このような従来の課題を解決するものであり、季節に応じてカビの種類を特定し、最小限のエネルギーでカビを抑制することのできる防カビミストサウナ装置を提供することを目的としている。
【課題を解決するための手段】
【００１４】
本発明の防カビミストサウナ装置は上記目的を達成するために、換気および暖房換気循環機能を備えた浴室のミストサウナ装置であって、前記ミストサウナ装置内に前記浴室内の温度を検出する温度検知手段と、前記浴室内の湿度を検出する湿度検知手段と、前記ミストサウナ装置が設置してある屋根裏の温度を検知する屋根裏空気温度検知手段と、前記浴室の内面に気流を発生させる気流発生手段と、運転モードを選定する運転制御手段とを設け、前記運転制御手段により前記気流発生手段を制御し、前記気流発生手段により前記浴室の内面に気流を発生させ、前記温度検知手段により検知された前記浴室内の温度と前記湿度検出手段により検知された前記浴室内の湿度と前記屋根裏空気温度検出手段により検知された前記屋根裏の温度とにより浴室内の内面の水滴の有無を前記運転制御手段で判断し、前記運転制御手段により、カビの繁殖しない温湿度に設定することを特徴とするミストサウナ装置としたものであり、浴室の壁面の水滴を蒸発させたことを検出し、浴室内にカビの繁殖しない温湿度に維持するために浴室内の温湿度と屋根裏の空気の温度を定期的に計測し運転制御するものとしたものである。
【００１５】
この手段により浴室壁面の水滴から発生する水蒸気を湿度として検出し、カビを抑制する温湿度を再度設定し、浴室内のカビの繁殖を抑制することのできる防カビミストサウナ装置が得られる。
【００１６】
また、本発明の防カビミストサウナ装置は上記目的を達成するために、カビの繁殖しやすい状態として、ミスト運転開始後になるため、ミスト運転開始後にカビの繁殖しない温湿度に設定する運転制御としたものである。
【００１７】
これにより、ミスト発生後の浴室内の温度を生かし、低温育成菌を抑制しカビを抑制することのできる防カビミストサウナ装置が得られる。
【００１８】
また、本発明の防カビミストサウナ装置は上記目的を達成するために、常時換気で浴室内に流入する空気の温湿度を計測し、季節を判定し、季節に応じたカビを抑制する運転制御としたものである。
【００１９】
これにより、季節に応じてカビの種類を特定し、最小限のエネルギーでカビを抑制することのできる防カビミストサウナ装置が得られる。
【００２０】
また、本発明の防カビミストサウナ装置は上記目的を達成するために、入浴する前の温湿度で浴室内の状態を把握し、入浴後に必要なエネルギーを算出する制御としたものである。
【００２１】
これにより、加熱が必要のない浴室環境温湿度を計測することで、加熱エネルギーを不必要にすることのできる防カビミストサウナ装置が得られる。
【００２２】
また、本発明の防カビミストサウナ装置は上記目的を達成するために、不必要な運転パターンをなくし、効率的に運転制御を行うこととしたものである。
【００２３】
これにより、換気、乾燥、循環の運転パターンにより、必要最小限のエネルギーでカビの抑制することのできる防カビミストサウナ装置が得られる。
【００２４】
また、本発明の防カビミストサウナ装置は上記目的を達成するために、温度手段を耐水性の高い熱電対としたものである。
【００２５】
これによりミストや水滴が発生しても正確に温度を検出することのできる防カビミストサウナ装置が得られる。
【００２６】
また、本発明の防カビミストサウナ装置は上記目的を達成するために、湿度手段の耐久性の高い高分子を用いたものである。
【００２７】
これによりミストや水滴が発生しても正確に湿度を検出することのできる防カビミストサウナ装置が得られる。
【００２８】
また、本発明の防カビミストサウナ装置は上記目的を達成するために、浴室内で温度範囲を限定したものである。
【００２９】
これにより必要な温度検出範囲を限定することで、過剰な制御ロジックを減らし、制御ソフトのバグを防止することのできる防カビミストサウナ装置が得られる。
【００３０】
また、本発明の防カビミストサウナ装置は上記目的を達成するために、カビの抑制に浴室内で湿度範囲を限定したものである。
【００３１】
これにより必要な湿度検出範囲を限定することで、過剰な制御ロジックを減らし、制御ソフトのバグを防止することのできる防カビミストサウナ装置が得られる。
【００３２】
また、本発明の防カビミストサウナ装置は上記目的を達成するために、浴室内に流入する空気の温度と湿度で運転するモードを選択するものである。
【００３３】
これにより乾燥と換気の運転のみとして、過剰な制御ロジックを減らし、制御ソフトのバグを防止することのできる防カビミストサウナ装置が得られる。
【００３４】
また、本発明の防カビミストサウナ装置は上記目的を達成するために、浴室内に流入する空気の温度と湿度がカビの繁殖する条件の時に湿度を低下させ運転するモードを選択するものである。
【００３５】
これにより湿度検出による運転として、過剰な制御ロジックを減らし、制御ソフトのバグを防止することのできる防カビミストサウナ装置が得られる。
【００３６】
また、本発明の防カビミストサウナ装置は上記目的を達成するために、浴室内に流入する空気の温度と湿度がカビの繁殖する条件の時に温度を上昇させ運転するモードを選択するものである。
【００３７】
これにより温度検出による運転として、過剰な制御ロジックを減らし、制御ソフトのバグを防止することのできる防カビミストサウナ装置が得られる。
【００３８】
また、本発明の防カビミストサウナ装置は上記目的を達成するために、浴室内に流入する空気の温度と湿度がカビの繁殖する条件の時に温度を上昇させ、湿度を低下させる運転するモードを選択するものである。
【００３９】
これにより壁面の水滴を除去した後に、温湿度検出による運転として、過剰な制御ロジックを減らし、制御ソフトのバグを防止することのできる防カビミストサウナ装置が得られる。
【００４０】
また、本発明の防カビミストサウナ装置は上記目的を達成するために、浴室内に流入する空気の温度と湿度がカビの繁殖する条件の時に温度を上昇させ、湿度を低下させる運転モードを選択し、浴室内をその温湿度状況で維持するものである。
【００４１】
これにより、壁面の水滴を除去した後に、温湿度検出による運転として、さらに時間を設定し、過剰な制御ロジックを減らし、制御ソフトのバグを防止することのできる防カビミストサウナ装置が得られる。
【００４２】
また、本発明の防カビミストサウナ装置は上記目的を達成するために、装置内に繁殖するカビを乾燥により抑制したものである。
【００４３】
これにより浴室内にある機器の水を乾燥させ、カビの繁殖を抑制することのできる防カビミストサウナ装置が得られる。
【発明の効果】
【００４４】
本発明によれば、浴室内に繁殖するカビを抑制し、浴室内を清潔に保ち、浴室内の清掃の頻度を低減できるという効果のあるミストサウナ装置を提供できる。
【００４５】
また、運転制御手段の動作の開始を、ミストサウナ装置の運転開始後にすることにより、浴室内に繁殖するカビを抑制し、浴室内を清潔に保ち、浴室内の清掃の頻度を低減できるという効果のあるミストサウナ装置を提供できる。
【００４６】
また、温度検出手段と湿度検出手段によって、ミストサウナ装置の運転開始前に温湿度を検出することにより、季節に応じたカビの繁殖を抑制することができるという効果のあるミストサウナ装置を提供できる。
【００４７】
また、運転制御手段を、入浴する前の温湿度に応じたことにより、制御する時間を短縮し、省エネ、かつ、短時間で抑制することができという効果のあるミストサウナ装置を提供できる。
【００４８】
また、運転制御手段として、換気、乾燥、循環、乾燥換気運転のいずれかを２つを含む運転をすることにより、制御ソフトを簡便化することができるという効果のあるミストサウナ装置が得られる。
【００４９】
また、温度検知手段として、熱電対を用いたことにより、水滴による故障を防止し、装置本体のメンテ期間を延ばすことができるという効果のあるミストサウナ装置を提供できる。
【００５０】
また、湿度検知手段として、高分子を用いたことことにより、水滴による故障を防止し、装置本体のメンテ期間を延ばすことができるという効果のあるミストサウナ装置を提供できる。
【００５１】
また、温度検知手段の温度の検知範囲を、５℃〜６０℃の範囲とすることにより、制御ソフトを簡易化することができるという効果のあるミストサウナ装置を提供できる。
【００５２】
また、湿度検知手段の湿度の検出範囲を、４０〜８０％ＲＨの範囲とすることにより、制御ソフトを簡易化することができるという効果のあるミストサウナ装置を提供できる。
【００５３】
また、運転制御手段として、浴室内壁面の水滴を除去してから、ミスト運転前の温度が２５℃、湿度が７５％ＲＨ以下の場合に換気のみの運転することにより、効率的に良くカビの繁殖を抑制することができるという効果のあるミストサウナ装置を提供できる。
【００５４】
また、運転制御手段として、浴室内壁面の水滴を除去してから、ミスト運転前の温度が２５℃、湿度が７５％ＲＨ以上の場合に湿度４０％ＲＨ以下に運転をすることにより、湿度のみで効率良くカビの繁殖を抑制することができるという効果のあるミストサウナ装置を提供できる。
【００５５】
また、運転制御手段として、浴室内壁面の水滴を除去してから、ミスト運転前の温度が２５℃、湿度が７５％ＲＨ以上の場合に温度３５℃以上にする運転をすることにより、温度のみで効率良くカビの繁殖を抑制することができるという効果のあるミストサウナ装置を提供できる。
【００５６】
また、壁面の水滴を除去してから、ミスト運転前の温度が２５℃、湿度が７５％ＲＨ以上の場合に、温度３５℃以上、湿度４０％ＲＨ以下にする運転をすることにより、湿度と湿度でさらに効率良くカビの繁殖を抑制することができるという効果のあるミストサウナ装置を提供できる。
【００５７】
また、運転制御手段として、浴室内壁面の水滴を除去してから、ミスト運転前の温度が２５℃、湿度が７５％ＲＨ以上の場合に、温度３５℃以上、湿度４０％ＲＨ以下に２時間以上を持続する運転することにより、制御ソフトを容易に作製できるという効果のあるミストサウナ装置を提供できる。
【００５８】
また、ミストサウナ装置内を、乾燥させる乾燥工程を設けることにより、ミストサウナ装置ないでカビの繁殖を抑制し、浴室内の壁面や天井に繁殖するカビの発生を抑制することができるという効果のあるミストサウナ装置を提供できる。
【発明を実施するための最良の形態】
【００５９】
本発明の請求項１記載のミストサウナ装置は、換気および暖房換気循環機能を備えた浴室のミストサウナ装置であって、前記ミストサウナ装置内に前記浴室内の温度を検出する温度検知手段と、前記浴室内の湿度を検出する湿度検知手段と、前記ミストサウナ装置が設置してある屋根裏の温度を検知する屋根裏空気温度検知手段と、前記浴室の内面に気流を発生させる気流発生手段と、運転モードを選定する運転制御手段とを設け、前記運転制御手段により前記気流発生手段を制御し、前記気流発生手段により前記浴室の内面に気流を発生させ、前記温度検知手段により検知された前記浴室内の温度と前記湿度検出手段により検知された前記浴室内の湿度と前記屋根裏空気温度検出手段により検知された前記屋根裏の温度とにより浴室内の内面の水滴の有無を前記運転制御手段で判断し、前記運転制御手段により、カビの繁殖しない温湿度に設定することを特徴とするミストサウナ装置としたものであり、温度検知手段と湿度検出手段と屋根裏空気温度検出手段から気流発生手段をもとに前記浴室の水滴の蒸発を検知し、カビの繁殖しない温湿度に設定することにより、カビの活動が停止されるという作用を有する。
【００６０】
また、運転制御手段の動作の開始を、ミストサウナ装置の運転開始後としたものであり、カビの胞子が栄養源を吸収するために必要な水分を低下させるという作用を有する。
【００６１】
また、温度検出手段と湿度検出手段によって、ミストサウナ装置の運転開始前に温湿度を検出することを特徴としたものであり、浴室に流入する空気の温湿度を検知し、季節を読取り、繁殖するカビを推定するという作用を有する。
【００６２】
また、運転制御手段を入浴する前の温湿度に応じたものであり、浴室の環境を読取り、運転制御に必要な浴室の断熱性能や浴室の漏れを判断するという作用を有する。
【００６３】
また、運転制御手段として、換気、乾燥、循環、乾燥換気運転のいずれかを２つを含む運転としたものであり、運転制御手段でいずれか２つの機能のみ限定するという作用を有する。
【００６４】
また、温度検知手段として、熱電対を用いたものであり、水滴が熱電対の吸収することなく流れていくという作用を有する。
【００６５】
また、湿度検知手段として、高分子を用いたものであり、高分子の外側に結露しにくいという作用を有する。
【００６６】
また、温度検知手段の温度の検知範囲を、５度〜６０度の範囲としたものであり、検出温度範囲を５℃〜６０℃に限定するという作用を有する。
【００６７】
また、湿度検知手段の湿度の検出範囲を、４０〜８０％ＲＨの範囲としたものであり、検出湿度範囲を４０％ＲＨ〜８０％ＲＨに限定するという作用を有する。
【００６８】
また、運転制御手段として、壁面の水滴を除去してから、ミスト運転前の温度が２５℃、湿度が７５％ＲＨ以下の場合に換気のみの運転としたものであり、季節に応じた運転条件を限定するという作用を有する。
【００６９】
また、運転制御手段として壁面の水滴を除去してから、ミスト運転前の温度が２５℃、湿度が７５％ＲＨ以上の場合に、湿度４０％ＲＨ以下にする運転としたものであり、季節に応じた運転条件を限定し、カビの成長を抑制するという作用を有する。
【００７０】
また、運転制御手段として壁面の水滴を除去してから、ミスト運転前の温度が２５℃、湿度が７５％ＲＨ以上の場合に、温度３５℃以上にする運転としたものであり、季節に応じた運転条件を限定し、カビの成長に阻害するという作用を有する。
【００７１】
また、壁面の水滴を除去してから、ミスト運転前の温度が２５℃、湿度が７５％ＲＨ以上の場合に、温度３５℃以上、湿度４０％ＲＨ以下にする運転としたものであり、季節に応じた運転条件を限定し、カビの成長および阻害するという作用を有する。
【００７２】
また、運転制御手段として壁面の水滴を除去してから、ミスト運転前の温度が２５℃、湿度が７５％ＲＨ以上の場合に、温度３５℃以上、湿度４０％ＲＨ以下に２時間以上を持続する運転としたものであり、さらにカビの成長および阻害するという作用を有する。
【００７３】
また、ミストサウナ装置内を乾燥させる乾燥工程を設けたものであり、乾燥により、ミスト装置内のカビの水分が低下するという作用を有する。
【００７４】
以下、本発明の実施の形態について図面を参照しながら説明する。
【００７５】
（実施の形態１）
図１は、本発明の実施の形態１におけるミストサウナ装置の構成を示す図である。
【００７６】
ミストサウナ装置１は、浴室内の空気を排気する換気ボックス２と浴室内の乾燥、循環送風、ミストを発生するミスト発生乾燥循環ボックス３と換気ボックス２内の構成部品とミスト発生乾燥循環ボックス３内の構成部品を制御する運転制御指示回路４から構成されている。
【００７７】
換気ボックス２内には、浴室に設置してあるミスト発生乾燥循環ボックス３を通過し、浴室内の空気を排気するための排気ファン５と浴室内の排気量を制御する排気ダンパー６と浴室天井の空気の温度を検出する屋根裏空気温度検知手段７を設けている。
【００７８】
また、ミスト発生乾燥循環ボックス３内には、浴室内へ送風する送風機１０９と、ミストを発生するミスト噴霧器１０８と、ミストの大きな粒子を凝集するエルミネータ８と、エルミネータ８で凝集された水滴を排水する排水受１１０と、浴室に送風する方向を決める気流発生ガイド９と、浴室内の温度を検出する温度検知センサ手段１０と、浴室内の湿度を検出する湿度検知センサ手段１１と、浴室内の湯気を凝集させる水蒸気凝集フィルタ１３と、凝集した水蒸気の水滴を受けて排水する水受けなどの水滴回収受１２と、浴室内の空気を加熱する熱交換器１０３を設けている。水蒸気凝集フィルタ１３としては、湯気、水蒸気などの微細水滴を捕集できればよく、フィルタなどがある。
【００７９】
また、図には示していないが、運転制御指示回路４は、換気ボックス２の排気ファン５や排気ダンパー６や屋根裏空気温度検知手段７への運転を出力する配線で接続され、更にミスト発生乾燥循環ボックス３の送風機１０９や熱交換器１０３やミスト噴霧器１０８や気流発生ガイド９や温度を検出する温度検知センサ手段１０や湿度検知センサ手段１１に配線で接続されている。
【００８０】
図２に気流発生ガイド９により浴室内に壁面にあたる気流の断面を示す。気流発生手段としては、運転制御指示回路４より運転モードの信号が熱交換器１０３や送風機１０９や排気ファン５や排気ダンパー６、気流発生ガイド９に送られ換気、乾燥、循環等の空気が浴室に送られる。そして、ミスト運転後に気流発生ガイド９の風向を変えることで、浴室内の天井面、壁面、床面に風があたり、各面の水滴を蒸発させることができる。
【００８１】
しかし、このような構成だけでは、ミストサウナ装置１より、浴室内にミストが発生し、人にとって快適なミスト空間を作製できるが、ミスト発生により、壁面や天井に付着した水滴と浴室に存在する皮脂や石鹸糟を栄養源としてカビも繁殖することは言うまでもない。
【００８２】
そのため、図３に示すような浴室壁面の水滴の蒸発させ、蒸発を確認させる方法が必要であり、確認させる方法について一例としてミストサウナ装置１内の温度検知センサ手段１０の出力換算値と湿度検知センサ手段１１の出力換算値と屋根裏空気温度検知手段７の出力換算値ならびにミストサウナ装置１の運転制御指示回路４から出力される運転モードを用いて説明する。
【００８３】
夏季の空気条件として空気温度２８℃、湿度６５％ＲＨの時に、運転制御指示回路４よりミスト運転モードが信号出力され、ミスト噴霧器１０８から温まったミストが発生し、浴室内の温度検知センサ手段１０の出力換算値は４５℃以上に上昇し、ｔ１時間後の湿度検知センサ手段１１の出力換算値は１００％まで上昇する。また浴室内の温度上昇により、屋根裏面の温度も上昇し屋根裏空気温度検知手段７の出力換算値も上昇する。ミスト運転後に浴室の上昇した温度を保ったまま、運転制御指示回路４より乾燥運転モード信号が出力され、換気ファン５と排気ダンパー６および、熱交換器１０３および送風機１０９が駆動し、強制的に換気と乾燥をｔ２時間運転することで、浴室内の湿度は低下する。その後、運転制御指示回路４から停止運転モード信号でｔ３時間動作を停止し、浴室内の温湿度の挙動を計測する。この間、壁面に付着した水滴から水蒸気が発生し壁面・浴室内の温度低下と伴い壁面の水滴が蒸発し、浴室内の湿度検知センサ手段１１の出力換算値が徐々に上昇する。その後、運転制御指示回路４から換気運転モードの信号が送られ換気し、浴室壁面に蓄積した熱により、空気条件よりも乾燥した空気が浴室に流入され、浴室壁面を効果的に乾燥する。時間とともに夏季の条件である空気温湿度と浴室内の温度検知センサ手段１０と湿度検知センサ手段１１は同じ値となる。このように、乾燥後、一度停止し、換気するパターンにより、壁面の水滴を蒸発させることが可能である。また、壁面の水滴からの水蒸気の発生を温度検知センサ手段１０と湿度検知センサ手段１１で検出し、屋根裏空気温度検知手段７の出力換算値である温度と温度検知センサ手段１０の出力換算値である温度が平衡状態になった時に浴室壁面の水滴からの水蒸気の発生がなくなるが検知でき、更にその後、カビ抑制範囲である浴室内を温湿度で維持することでカビの繁殖を抑制する。
【００８４】
このようなに浴室壁面の熱を効率的に活用し浴室壁面の水滴を蒸発させ、更に蒸発したことを検知することが可能となる。勿論この手段は浴室内の壁面に蓄熱した温度を利用することで、乾燥するエネルギーを多く使用することない。
【００８５】
また、壁面の水滴を蒸発させることで、直接石鹸糟や皮脂に付着しないカビへ栄養源が絶たれ、繁殖の広がりを抑制することが可能となる。
【００８６】
即ち、浴室壁面の水滴を除去することで、直接石鹸糟や皮脂に付着したカビに対してもカビ繁殖を抑制する温湿度範囲を直接与えることが容易になることは言うまでもない。
【００８７】
さらに、図３に示すようにミスト運転時の浴室内の温度は４５℃と高温にあり、低温で生育するカビの繁殖を抑制する温度になることも、言うまでもない。
【００８８】
また、ｔ２を長時間することで、浴室壁面の水滴を蒸発することができるが、エネルギーを過剰に利用するため、停止後にミスト運転前の空気条件よりも高い湿度で高い温度での変化を検出することが有効な手段となる。
【００８９】
また、一例として夏季の空気条件としたが、常時換気をしている場合、サウナ運転前に、ミスト発生乾燥循環ボックス３内の温度検知センサ手段１０と湿度検知センサ手段１１より、浴室の空気の温度と湿度すなわち脱衣場から換気される空気の温度と湿度が計測され、運転制御指示回路４に送られる。初期の温湿度としてミスト運転前の空気条件を検出し、同様な運転パターンにより、壁面の水滴から蒸発することができる。
【００９０】
また、一例としてミスト発生時としたが、入浴時にも浴室内の温湿度が上昇し、同様内手段にて、壁面の水滴を蒸発させることは可能である。
【００９１】
次にカビの繁殖しない温湿度に設定する運転制御手段について説明する。
【００９２】
カビ抑制運転は、季節を判断し、季節ごとに繁殖するカビを抑制する条件にて運転する。
【００９３】
運転条件の１例として梅雨時期の湿度が高く、温度が高い場合は、オーレオバシジウムのような中温時に繁殖しやすいカビを抑制する為には、ミストサウナ運転後に上記運転を行い、ミストサウナ装置１の本体内は勿論、浴室内の天井や壁面、床の水滴を蒸発させる。蒸発後、天井や壁面、床に残存するカビを抑制する為、再度乾燥運転モードに切り換わり、カビ表面の水分を除去する。その後、自動的に換気運転モード切り換わり、浴室内と室内の温湿度が、同じ状態になるようにする。
【００９４】
この運転制御手段により壁面の水滴を蒸発させた後に、石鹸糟や皮脂に接したカビ胞子に直接、温湿度を与え、カビの繁殖を抑制することが可能となる。
【００９５】
さらに、常時換気の温度と湿度から、事前に中間期、夏期、冬期、梅雨の季節を判断し、壁面の水滴の除去した後のカビ抑制運転を判断することができる。
【００９６】
図４に空気線図を用い温湿度におけるカビ抑制運転を示す。図４は夏季の条件時の一例である。サウナ運転前は、浴室は夏期、梅雨の領域の温湿度となり、サウナ運転後の浴室は、サウナ運転の高温、高湿の状態となる。その後、壁面の水滴を蒸発した後、浴室は夏期、梅雨の領域の温湿度に戻る。この状態では、石鹸糟や皮脂に接したカビ胞子は繁殖することは言うまでもない。そのため、夏期、梅雨の条件の場合には、カビを抑制する浴室乾燥の領域の温湿度になるような運転パターンで制御する。そして、カビの抑制温湿度に一時的にすることで、カビを菌糸や胞子にダメージを与えた後、室内の温湿度に戻す。
【００９７】
空気条件が、２５℃、湿度７５％ＲＨ以上の時は、上記例にて記載した運転が行われ浴室内のカビの繁殖を抑制し、浴室内を清潔に保ち、浴室内の清掃の頻度を低減するという作用を有する。
【００９８】
また、図５に示すように、浴室に繁殖するカビの至適温度と最高温度を示す。
【００９９】
夏期、梅雨のカビとして、オーレオバシジウムとして、中間期〜冬場のカビとして、フォーマやクラドスポリジウムを対象となる。
【０１００】
至適温度から、浴室に繁殖しやすいカビは季節毎に異なることが分かる。また、中間期については、図５に示したカビが繁殖するが、一度、最高温度に上げることで、カビの繁殖を抑制することがわかる。また、冬期については、壁面の水滴を除去した後、室内の空気で換気することで室内の温度が低下し、至適温度以下となり、カビの繁殖を抑制することが可能となる。
【０１０１】
図６に示すように、浴室に繁殖するカビの湿度と繁殖しない湿度を示す。湿度の影響を確認するため、各カビの胞子を調製し、カビ胞子を卵黄に混合しカビ胞子液を調製する。調製したカビ胞子液を、ガーゼに塗布し、ガーゼ表面が乾燥させる。乾燥したカビ胞子液が塗布されたガーゼを温度２５℃、４０％ＲＨと温度２５℃、８０％ＲＨの恒温恒湿の状態に５日間放置して、カビの繁殖を確認する。湿度８０％ＲＨの時は全てのカビで繁殖が確認され、４０％ＲＨでは、全てのカビの繁殖しないことが確認される。湿度４０％ＲＨ以下にすることで、カビの繁殖を抑制することがわかる。また、冬期については、室内の湿度が低下し、繁殖しない範囲になり、室内の空気によりカビの繁殖を抑制することが可能となる。
【０１０２】
図５、６に示すように、季節毎に浴室に繁殖しやすいカビの種類が分かり、また、繁殖を抑制する温湿度を設定することが可能となる。
【０１０３】
また、一般的にカビの繁殖には、湿度７５％ＲＨを境に繁殖することが言われている。よって、温度２５℃、湿度７５％ＲＨ以内にて、カビの繁殖を抑制することが可能であるが、夏場や梅雨時期になると、温度２５℃、湿度７５％ＲＨを超えた環境となり、温度を上昇させるか、湿度を低下させる必要があり、カビの最高温度以上に浴室内の温度を上げることや、湿度を４０％ＲＨ以下にすることで、カビの繁殖を抑制することが、可能となる。
【０１０４】
図７に示すように、２２時間を温度２５℃、湿度８０％ＲＨに放置し、温度３５℃、湿度４０％ＲＨの状態に２時間放置を４回繰り返した時のカビの繁殖結果を示す。
【０１０５】
各カビに温度上昇と湿度低下の状態を２時間維持することで、カビの繁殖を抑制ことが可能となる。
【０１０６】
また、温度検知センサ手段１０として、赤外線などで、表面温度を計測するものがあるが、結露を起こすと表面温度の計測ができないことがあり、水滴が流れやすく耐水性を施した熱電対を利用する方が良い。
【０１０７】
また、湿度検知センサ手段１１としては、高分子湿度センサなどがある。湿度検知センサ手段１１として、素材に塩化リチウムやセラミックなどがあるが、結露を起こし素材と結合し、湿度の計測ができないことがあり、素材に高分子を用いたこと湿度検知センサ手段を利用する方が良い。
【０１０８】
また、上記内容にて、温度検知センサ手段１０の出力換算値を示しているが、温度検知センサ手段として、浴室内の温度を検出するだけでよく、必要以外例えば１００℃を計測するにあたっては、実際の温度検知センサ手段出力に対し、係数×補正値等が必要になり、実際に利用する５度〜６０度に下限上限を用いることで、容易に作成することは、言うまでもない。
【０１０９】
また、上記内容にて、湿度検知センサ手段１１の出力換算値を示しているが、湿度検知センサ手段１１として、水滴除去とカビ抑制で必要な湿度を検出するだけでよく、必要以外例えば１００％ＲＨを計測するにあたっては、実際の湿度検知センサ手段出力に対し、係数×補正値等が必要になり、実際に利用する４０度〜８０％ＲＨに下限上限を用いることで、容易に作成することは、言うまでもない。
【０１１０】
また、ミストサウナ装置内を乾燥させ、温度検知センサ手段１０および湿度検知センサ手段１１に乾燥工程を設けることで、各手段表面の水滴付着を防止し、精度良く浴室内温度と湿度を計測できることは、言うまでもない。
【産業上の利用可能性】
【０１１１】
ミストサウナ装置に取付けた防カビ抑制機能を用いて容易に浴室内を清潔に保つことができ、浴室内での衣類乾燥としてもカビの繁殖を抑制するカビを抑制する衣類乾燥庫等の用途にも適用できる。
【図面の簡単な説明】
【０１１２】
【図１】本発明の実施の形態１のミストサウナ装置を示す側面構成図
【図２】同ミストサウナ装置の浴室内気流の流れを示す側面構成図
【図３】同ミストサウナ装置の浴室壁面の水滴の蒸発させる手段を用いた浴室内の温湿度変化と運転モード図を示す図
【図４】同ミストサウナ装置の防カビミストサウナ装置の空気線図を示す図
【図５】同ミストサウナ装置の浴室内のカビの繁殖温度の関係を示す図
【図６】同ミストサウナ装置の浴室内のカビの繁殖湿度の関係を示す図
【図７】同ミストサウナ装置の浴室内のカビの繁殖結果を示す図
【図８】従来のミストサウナ装置を示す側面構成図
【符号の説明】
【０１１３】
１    ミストサウナ装置
２    換気ボックス
３    ミスト発生乾燥循環ボックス
４    運転制御指示回路
５    排気ファン
６    排気ダンパー
７    屋根裏空気温度検知手段
８    エルミネータ
９    気流発生ガイド
１０  温度検知センサ手段
１１  湿度検知センサ手段
１２  水滴回収受
１３  水蒸気凝集フィルタ
【図１】
2008245690.tif 000003
【図２】
2008245690.tif 000004
【図３】
2008245690.tif 000005
【図４】
2008245690.tif 000006
【図５】
2008245690.tif 000007
【図６】
2008245690.tif 000008
【図７】
2008245690.tif 000009
【図８】
2008245690.tif 000010